(57)【要約】【課題】局側装置と加入者側装置との間に経路を切り替えるための別の装置を介在させずに、波長毎に経路の切り替えを行うことができるようにすること。【解決手段】光カプラに光ファイバで接続され、複数の波長を用いて複数の加入者側装置と通信する光モジュール１２０Ａと、光カプラに光ファイバで接続され、複数の波長を用いて複数の加入者側装置と通信する光モジュール１２０Ｂと、複数の波長の各々において、光モジュール１２０Ａの送信経路の状態を監視する送信状態監視部１１２と、光モジュール１２０Ａが通信している際に、送信状態監視部１１２が、複数の波長の内の１の波長において、光モジュール１２０Ａの送信経路の状態が異常状態であることを検出した場合に、その１の波長を用いた通信を、光モジュール１２０Ａから光モジュール１２０Ｂに切り替える経路切替制御部１１３とを備える。【選択図】図１
2019029708.tif 000002
【特許請求の範囲】
【請求項１】
光カプラを介して複数の加入者側装置を収容する局側装置であって、
前記光カプラに光ファイバで接続され、複数の波長を用いて前記複数の加入者側装置と通信する第１の光モジュールと、
前記光カプラに光ファイバで接続され、前記複数の波長を用いて前記複数の加入者側装置と通信する第２の光モジュールと、
前記複数の波長の各々において、前記第１の光モジュールの送信経路の状態を監視する送信状態監視部と、
前記第１の光モジュールが通信している際に、前記送信状態監視部が、前記複数の波長の内の１の波長において、前記第１の光モジュールの送信経路の状態が異常状態であることを検出した場合に、前記１の波長を用いた通信を、前記第１の光モジュールから前記第２の光モジュールに切り替える経路切替制御部と、を備えること
を特徴とする局側装置。
【請求項２】
前記経路切替制御部は、前記１の波長を用いた前記通信を前記第１の光モジュールから前記第２の光モジュールに切り替えた場合には、前記複数の波長の内、前記１の波長以外の前記複数の波長を用いた通信を前記第１の光モジュールから前記第２の光モジュールに切り替えること
を特徴とする請求項１に記載の局側装置。
【請求項３】
前記複数の加入者側装置には、経路の切り替えを要する第１の加入者側装置と、経路の切り替えが不要な第２の加入者側装置とが含まれており、
前記経路切替制御部は、前記第１の光モジュールが通信している際に、前記送信状態監視部が、前記１の波長において、前記第１の光モジュールの送信経路の状態が異常状態であることを検出した場合に、前記第１の加入者側装置との前記１の波長を用いた通信を、前記第１の光モジュールから前記第２の光モジュールに切り替えること
を特徴とする請求項１に記載の局側装置。
【請求項４】
前記第１の光モジュールとの間でフレームのやり取りを行う第１の転送処理部と、
前記第２の光モジュールとの間でフレームのやり取りを行う第２の転送処理部と、をさらに備え、
前記第１の転送処理部は、前記経路切替制御部が、前記第１の加入者側装置との前記１の波長を用いた前記通信を、前記第１の光モジュールから前記第２の光モジュールに切り替えた場合には、前記第１の加入者側装置を送信元とするフレーム、及び、前記第１の加入者側装置を宛先とするフレームを廃棄し、
前記第２の転送処理部は、前記経路切替制御部が、前記第１の加入者側装置との前記１の波長を用いた通信を、前記第１の光モジュールから前記第２の光モジュールに切り替えた場合には、前記第１の加入者側装置を送信元とするフレームを転送するとともに、前記第１の加入者側装置を宛先とするフレームを前記第２の光モジュールに送ること
を特徴とする請求項３に記載の局側装置。
【請求項５】
前記経路切替制御部は、前記１の波長を用いた前記通信を前記第１の光モジュールから前記第２の光モジュールに切り替えた場合には、前記第１の加入者側装置との前記１の波長以外の前記複数の波長を用いた通信を前記第１の光モジュールから前記第２の光モジュールに切り替えること
を特徴とする請求項３に記載の局側装置。
【請求項６】
前記第１の光モジュールとの間でフレームのやり取りを行う第１の転送処理部と、
前記第２の光モジュールとの間でフレームのやり取りを行う第２の転送処理部と、をさらに備え、
前記第１の転送処理部は、前記経路切替制御部が、前記第１の加入者側装置との前記複数の波長を用いた通信を、前記第１の光モジュールから前記第２の光モジュールに切り替えた場合には、前記第１の加入者側装置を送信元とするフレーム、及び、前記第１の加入者側装置を宛先とするフレームを廃棄し、
前記第２の転送処理部は、前記経路切替制御部が、前記第１の加入者側装置と前記複数の加入者側装置との前記複数の波長を用いた前記通信を、前記第１の光モジュールから前記第２の光モジュールに切り替えた場合には、前記第１の加入者側装置を送信元とするフレームを転送するとともに、前記第１の加入者側装置を宛先とするフレームを前記第２の光モジュールに送ること
を特徴とする請求項５に記載の局側装置。
【請求項７】
前記送信状態監視部は、周期的に、前記第１の光モジュールの送信経路の状態を監視すること
を特徴とする請求項１から６の何れか一項に記載の局側装置。
【請求項８】
前記送信状態監視部は、前記第１の光モジュールの送信経路の状態を、前記第１の光モジュールから送信する光信号の送信レベル及び送信バイアス電流により監視すること
を特徴とする請求項１から７の何れか一項に記載の局側装置。
【請求項９】
前記送信レベル及び前記送信バイアス電流のそれぞれについて、予め定められた複数の閾値から、異常状態と判断するための閾値を選択することができるようにされていること
を特徴とする請求項８に記載の局側装置。
【請求項１０】
前記第１の光モジュールは、前記第１の光モジュールの送信経路の状態が異常状態である場合に、前記送信状態監視部に通知すること
を特徴とする請求項１から９の何れか一項に記載の局側装置。
【発明の詳細な説明】
【技術分野】
【０００１】
本発明は、局側装置に関し、特に、光カプラを介して複数の加入者側装置を収容する局側装置に関する。
【背景技術】
【０００２】
特許文献１には、上位ノード装置と下位ノード装置との間の信号光の伝送経路として、現用の中継ファイバ伝送路を含む現用の伝送経路及び予備の中継ファイバ伝送路を含む予備の伝送経路を設定し、上位ノード装置において、現用又は予備の伝送経路を介して下位ノード装置から上位ノード装置へ伝送された上り方向の信号光の一方を選択し、また、下位ノード装置に対する信号光を２分岐して現用及び予備の中継ファイバ伝送路に送出し、下位ノード装置において、現用又は予備の伝送経路を介して上位ノード装置から下位ノード装置へ伝送された下り方向の信号光の一方を選択し、また、上位ノード装置に対する信号光を２分岐して現用及び予備の中継ファイバ伝送路に送出する光アクセスネットワークが記載されている。
【先行技術文献】
【特許文献】
【０００３】
【特許文献１】特開２００３−５１７６５号公報
【発明の概要】
【発明が解決しようとする課題】
【０００４】
従来の光アクセスネットワークは、上位ノード装置として機能するＯＬＴ（Ｏｐｔｉｃａｌ  Ｌｉｎｅ  Ｔｅｒｍｉｎａｌ）と、ＯＮＵ（Ｏｐｔｉｃａｌ  Ｎｅｔｗｏｒｋ  Ｕｎｉｔ）との間に、上り及び下りのそれぞれの光合分波回路、並びに、光カプラ及びスイッチから成る現用予備切替回路を具備する下位ノード装置が必要である。このため、従来の光アクセスネットワークは、ＯＬＴとＯＮＵとの間に光カプラのみが介在する光アクセスシステムよりも、高コストとなる。
【０００５】
そこで、本発明は、上記のような問題点を解消するためになされたもので、ＯＬＴとＯＮＵとの間に経路を切り替えるための別の装置を介在させずに、波長毎に経路の切り替えを行うことができるようにすることを目的としている。
【課題を解決するための手段】
【０００６】
本発明の一態様に係る局側装置は、光カプラを介して複数の加入者側装置を収容する局側装置であって、前記光カプラに光ファイバで接続され、複数の波長を用いて前記複数の加入者側装置と通信する第１の光モジュールと、前記光カプラに光ファイバで接続され、前記複数の波長を用いて前記複数の加入者側装置と通信する第２の光モジュールと、前記複数の波長の各々において、前記第１の光モジュールの送信経路の状態を監視する送信状態監視部と、前記第１の光モジュールが通信している際に、前記送信状態監視部が、前記複数の波長の内の１の波長において、前記第１の光モジュールの送信経路の状態が異常状態であることを検出した場合に、前記１の波長を用いた通信を、前記第１の光モジュールから前記第２の光モジュールに切り替える経路切替制御部と、を備えることを特徴とする。
【発明の効果】
【０００７】
本発明の一態様によれば、ＯＬＴとＯＮＵとの間に別の装置を介在させずに、波長毎に経路切替を行うことができる。
【図面の簡単な説明】
【０００８】
【図１】実施の形態１に係る光アクセスシステムの構成を概略的に示すブロック図である。
【図２】実施の形態１におけるＯＬＴの構成を概略的に示すブロック図である。
【図３】実施の形態１における光モジュールの構成を概略的に示すブロック図である。
【図４】（Ａ）及び（Ｂ）は、ハードウェア構成例を示す概略図である。
【図５】実施の形態１における第１波長送信レベル判定情報を示す概略図である。
【図６】実施の形態１における第２波長送信レベル判定情報を示す概略図である。
【図７】実施の形態１における第１波長送信バイアス電流判定情報を示す概略図である。
【図８】実施の形態１における第２波長送信バイアス電流判定情報を示す概略図である。
【図９】実施の形態１における制御内容表の第１の例を示す概略図である。
【図１０】実施の形態１における制御内容表の第２の例を示す概略図である。
【図１１】実施の形態１におけるＯＬＴの処理を示すフローチャートである。
【図１２】実施の形態１における制御内容表の第３の例を示す概略図である。
【図１３】実施の形態１における制御内容表の第４の例を示す概略図である。
【図１４】実施の形態２に係る光アクセスシステムの構成を概略的に示すブロック図である。
【図１５】実施の形態２におけるＯＬＴの構成を概略的に示すブロック図である。
【図１６】実施の形態２における制御内容表の第１の例を示す概略図である。
【図１７】実施の形態２における制御対象判定基準情報を示す概略図である。
【図１８】実施の形態２における制御内容表の第１の例を示す概略図である。
【図１９】実施の形態２における制御内容表の第２の例を示す概略図である。
【発明を実施するための形態】
【０００９】
実施の形態１．
図１は、実施の形態１に係る光アクセスシステム１００の構成を概略的に示すブロック図である。
光アクセスシステム１００は、局側装置（ＯＬＴ）１１０と、加入者側装置（ＯＮＵ）１５０Ａ〜１５０Ｄとを備える。
ＯＬＴ１１０と、ＯＮＵ１５０Ａ〜１５０Ｄとは、光ファイバ１６０Ａ〜１６０Ｆ及び光カプラ１６１を用いて、接続されている。言い換えると、ＯＬＴ１１０は、光カプラ１６１を介して、複数のＯＮＵ１５０Ａ〜１５０Ｄを収容している。
【００１０】
ここで、ＯＮＵ１５０Ａ〜１５０Ｄの各々を特に区別する必要がない場合には、ＯＮＵ１５０という。
また、光ファイバ１６０Ａ〜１６０Ｆの各々を特に区別する必要がない場合には、光ファイバ１６０という。
【００１１】
図２は、ＯＬＴ１１０の構成を概略的に示すブロック図である。
ＯＬＴ１１０は、ＰＯＮ終端転送部１１１と、送信状態監視部１１２と、経路切替制御部１１３と、光モジュール１２０Ａ、１２０Ｂとを備える。
ＯＬＴ１１０は、光ファイバにて複数のＯＮＵ１５０を収容するＰＯＮ（Ｐａｓｓｉｖｅ  Ｏｐｔｉｃａｌ  Ｎｅｔｗｏｒｋ）ポートの冗長構成を具備しており、光モジュール１２０Ａ及び光モジュール１２０Ｂを備えている。ここで、光モジュール１２０Ａは、通常使用される第１の光モジュールであり、現用光モジュール１２０Ａともいう。光モジュール１２０Ｂは、現用光モジュールに異常が発生した場合に使用される第２の光モジュールであり、予備光モジュール１２０Ｂともいう。
なお、光モジュール１２０Ａ、１２０Ｂの各々を特に区別する必要がない場合には、光モジュール１２０という。
【００１２】
ＰＯＮ終端転送部１１１は、ＯＮＵ１５０から受信する上りフレームの終端処理及びＯＬＴ１１０の上位装置（図示せず）への転送を行う。具体的には、ＰＯＮ終端転送部１１１は、光モジュール１２０からの電気信号から、フレーム（ここでは、ＭＡＣフレーム）を抽出し、抽出されたフレームの送信元であるＯＮＵ１５０の識別及び送信元ＭＡＣアドレスの学習を行い、ＭＡＣアドレス学習テーブルへの登録を行う。そして、ＰＯＮ終端転送部１１１は、抽出されたフレームをＯＬＴ１１０の上位装置への転送を行う。
また、ＰＯＮ終端転送部１１１は、ＯＬＴ１１０の上位装置から受信する下りフレームのスイッチング及び終端処理を行う。具体的には、ＰＯＮ終端転送部１１１は、ＭＡＣアドレス学習テーブルを検索することにより、上位装置からのフレーム（ここでは、ＭＡＣフレーム）の宛先となるＯＮＵ１５０を特定し、フレームの暗号化処理を行い、処理されたフレームを光モジュール１２０に転送する。
【００１３】
送信状態監視部１１２は、複数の波長の各々において、光モジュール１２０の送信経路の状態を監視し、ＰＯＮポート冗長制御を行う経路切替制御部１１３へ制御信号を送信する。例えば、送信状態監視部１１２は、光モジュール１２０における判定結果を示す制御信号を経路切替制御部１１３に送信する。
【００１４】
経路切替制御部１１３は、ＰＯＮポート冗長制御を行う。例えば、経路切替制御部１１３は、送信状態監視部１１２から受け取った制御信号で示される判定結果から、波長毎に光信号を送信する許可又は不許可を示す制御信号を光モジュール１２０に送信することで、ＰＯＮポート冗長制御を行う。具体的には、経路切替制御部１１３は、光モジュール１２０Ａが通信している際に、送信状態監視部１１２が複数の波長の内の１の波長において、光モジュール１２０Ａの送信経路の状態が異常状態であることを検出した場合に、その１の波長を用いた通信を、光モジュール１２０Ａから光モジュール１２０Ｂに切り替える。
さらに、経路切替制御部１１３は、１の波長を用いた通信を光モジュール１２０Ａから光モジュール１２０Ｂに切り替えた場合には、１の波長以外の複数の波長（残りの波長）を用いた通信も光モジュール１２０Ａから光モジュール１２０Ｂに切り替える。
【００１５】
光モジュール１２０は、光信号と電気信号との変換を行うとともに、光カプラ１６１に光ファイバ１６０で接続され、複数の波長を用いて複数のＯＮＵ１５０と通信する。
ここで、光モジュール１２０は、複数のＯＮＵ１５０との通信を、複数の波長を用いて行う。例えば、光モジュール１２０は、上り波長として第１上り波長λｕ１、下り波長として第１下り波長λｄ１を用いて、ＯＮＵ１５０Ａ及びＯＮＵ１５０Ｂと通信する。また、光モジュール１２０は、上り波長として第２上り波長λｕ２、下り波長として第２下り波長λｄ２を用いて、ＯＮＵ１５０Ｃ及びＯＮＵ１５０Ｄと通信する。
【００１６】
図３は、光モジュール１２０の構成を概略的に示すブロック図である。
光モジュール１２０は、送信部１３０と、受信部１４０とを備える。
送信部１３０は、ＰＯＮ終端転送部１１１からの電気信号であるフレームを光信号に変換して、変換された光信号をＯＮＵ１５０に送信する。
【００１７】
送信部１３０は、第１波長送信ドライバ部１３１と、第２波長送信ドライバ部１３２と、光合波部１３３と、レベルモニタ部１３４と、送信制御回路１３５とを備える。
第１波長送信ドライバ部１３１は、ＰＯＮ終端転送部１１１からのフレームを第１下り波長λｄ１の光信号に変換して、光合波部１３３に与える。
第２波長送信ドライバ部１３２は、ＰＯＮ終端転送部１１１からのフレームを第２下り波長λｄ２の光信号に変換して、光合波部１３３に与える。
光合波部１３３は、第１波長送信ドライバ部１３１からの光信号と、第２波長送信ドライバ部１３２からの光信号とを合波して、ＯＮＵ１５０に送信する。
【００１８】
レベルモニタ部１３４は、第１波長送信ドライバ部１３１からの第１下り波長λｄ１の光信号の送信レベル（光強度）及び送信バイアス電流と、第２波長送信ドライバ部１３２からの第２下り波長λｄ２の光信号の送信レベル及び送信バイアス電流とをモニタする。そして、レベルモニタ部１３４は、モニタ結果を送信状態監視部１１２に与える。
送信制御回路１３５は、経路切替制御部１１３からの制御信号に従って、第１波長送信ドライバ部１３１及び第２波長送信ドライバ部１３２を制御する。
【００１９】
受信部１４０は、ＯＮＵ１５０からの光信号を受信して、受信された光信号を電気信号に変換して、変換された電気信号をＰＯＮ終端転送部１１１に与える。
【００２０】
受信部１４０は、光分波部１４１と、第１波長受信レシーバ部１４２と、第２波長受信レシーバ部１４３とを備える。
光分波部１４１は、ＯＮＵ１５０からの光信号を波長毎に分波して、分波された光信号を第１波長受信レシーバ部１４２又は第２波長受信レシーバ部１４３に与える。例えば、光分波部１４１は、ＯＮＵ１５０からの光信号から、第１上り波長λｕ１の光信号を分波して、分派された第１上り波長λｕ１の光信号を第１波長受信レシーバ部１４２に与える。また、光分波部１４１は、ＯＮＵ１５０からの光信号から、第２上り波長λｕ２の光信号を分波して、分派された第２上り波長λｕ２の光信号を第２波長受信レシーバ部１４３に与える。
【００２１】
第１波長受信レシーバ部１４２は、光分波部１４１から与えられた第１上り波長λｕ１の光信号を電気信号に変換して、変換された電気信号をＰＯＮ終端転送部１１１に与える。
第２波長受信レシーバ部１４３は、光分波部１４１から与えられた第２上り波長λｕ２の光信号を電気信号に変換して、変換された電気信号をＰＯＮ終端転送部１１１に与える。
【００２２】
以上に記載されたＯＬＴ１１０のＰＯＮ終端転送部１１１、送信状態監視部１１２、経路切替制御部１１３、レベルモニタ部１３４及び送信制御回路１３５の一部又は全部は、例えば、図４（Ａ）に示されているように、単一回路、複合回路、プログラム化したプロセッサ、並列プログラム化したプロセッサ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔｓ）又はＦＰＧＡ（Ｆｉｅｌｄ  Ｐｒｏｇｒａｍｍａｂｌｅ  Ｇａｔｅ  Ａｒｒａｙ）等の処理回路１０で構成することができる。
【００２３】
また、ＯＬＴ１１０の送信状態監視部１１２及び経路切替制御部１１３の一部又は全部は、例えば、図４（Ｂ）に示されているように、メモリ１１と、メモリ１１に格納されているプログラムを実行するＣＰＵ（Ｃｅｎｔｒａｌ  Ｐｒｏｃｅｓｓｉｎｇ  Ｕｎｉｔ）等のプロセッサ１２とにより構成することもできる。このようなプログラムは、ネットワークを通じて提供されてもよく、また、記録媒体に記録されて提供されてもよい。即ち、このようなプログラムは、例えば、プログラムプロダクトとして提供されてもよい。
【００２４】
次に、ＯＬＴ１１０動作について説明する。
ＯＬＴ１１０の上位装置からフレームを受信すると、ＰＯＮ終端転送部１１１は、ＭＡＣアドレス学習テーブルを検索することにより、上位装置からのフレームの宛先となるＯＮＵ１５０を特定し、フレームの暗号化処理を行い、処理されたフレームを現用光モジュール１２０Ａ及び予備光モジュール１２０Ｂに転送する。例えば、フレームの宛先が、ＯＮＵ１５０Ａ又はＯＮＵ１５０Ｂである場合には、ＰＯＮ終端転送部１１１は、暗号化されたフレームを現用光モジュール１２０Ａ及び予備光モジュール１２０Ｂの第１波長送信ドライバ部１３１に転送し、フレームの宛先が、ＯＮＵ１５０Ｃ又はＯＮＵ１５０Ｄである場合には、ＰＯＮ終端転送部１１１は、暗号化されたフレームを現用光モジュール１２０Ａ及び予備光モジュール１２０Ｂの第２波長送信ドライバ部１３２に転送する。
【００２５】
現用光モジュール１２０Ａの第１波長送信ドライバ部１３１は、ＰＯＮ終端転送部１１１から受け取ったフレームを第１下り波長λｄ１の光信号に変換して、光合波部１３３に与える。
また、現用光モジュール１２０Ａの第２波長送信ドライバ部１３２は、ＰＯＮ終端転送部１１１から受け取ったフレームを第２下り波長λｄ２の光信号に変換して、光合波部１３３に与える。
そして、光合波部１３３は、第１波長送信ドライバ部１３１からの光信号と、第２波長送信ドライバ部１３２からの光信号とを合波して、ＯＮＵ１５０に送信する。
【００２６】
このとき、現用光モジュール１２０Ａのレベルモニタ部１３４は、第１波長送信ドライバ部１３１からの第１下り波長λｄ１の光信号の送信レベル及び送信バイアス電流と、第２波長送信ドライバ部１３２からの第２下り波長λｄ２の光信号の送信レベル及び送信バイアス電流とをモニタする。
例えば、レベルモニタ部１３４には、送信レベル又は送信バイアス電流に対する閾値を設定することができ、レベルモニタ部１３４は、閾値と実測値の比較結果に応じて、正常状態、ワーニング状態及びアラーム状態を判定する。
【００２７】
具体的には、レベルモニタ部１３４は、第１波長送信ドライバ部１３１からの第１下り波長λｄ１の光信号の送信レベルを計測し、計測された送信レベルを実測値Ｐ１として、図５に示されている第１波長送信レベル判定情報１７０を参照して、実測値Ｐ１に対応する第１波長の送信経路の状態を判定する。
【００２８】
図５に示されているように、第１波長送信レベル判定情報１７０は、送信レベルの複数の範囲の各々に、第１波長の送信経路の複数の状態の各々が対応付けられている。
例えば、図５は、第１下り波長λｄ１の送信レベルの実測値Ｐ１に対する閾値として、Ｌｏｗアラーム閾値：Ｐ１＿１、Ｌｏｗワーニング閾値：Ｐ１＿２、Ｈｉｇｈワーニング閾値：Ｐ１＿３、及び、Ｈｉｇｈアラーム閾値：Ｐ１＿４とした場合の例を示している。
【００２９】
また、レベルモニタ部１３４は、第２波長送信ドライバ部１３２からの第２下り波長λｄ２の光信号の送信レベルを計測し、計測された送信レベルを実測値Ｐ２として、図６に示されている第２波長送信レベル判定情報１７１を参照して、実測値Ｐ２に対応する第２波長の送信経路の状態を判定する。
【００３０】
図６に示されているように、第２波長送信レベル判定情報１７１は、送信レベルの複数の範囲の各々に、第２波長の送信経路の複数の状態の各々が対応付けられている。
例えば、図６は、第２下り波長λｄ２の送信レベルの実測値Ｐ２に対する閾値として、Ｌｏｗアラーム閾値：Ｐ２＿１、Ｌｏｗワーニング閾値：Ｐ２＿２、Ｈｉｇｈワーニング閾値：Ｐ２＿３、Ｈｉｇｈアラーム閾値：Ｐ２＿４とした場合の例を示している。
【００３１】
また、レベルモニタ部１３４は、第１波長送信ドライバ部１３１からの第１下り波長λｄ１の光信号の送信バイアス電流を計測し、計測された送信バイアス電流を実測値Ｂ１として、図７に示されている第１波長送信バイアス電流判定情報１７２を参照して、実測値Ｂ１に対応する第１波長の送信経路の状態を判定する。
【００３２】
図７に示されているように、第１波長送信バイアス電流判定情報１７２は、送信バイアス電流の複数の範囲の各々に、第１波長の送信経路の複数の状態の各々が対応付けられている。
例えば、図７は、第１下り波長λｄ１の送信バイアス電流に対する閾値として、Ｌｏｗアラーム閾値：Ｂ１＿１、Ｌｏｗワーニング閾値：Ｂ１＿２、Ｈｉｇｈワーニング閾値：Ｂ１＿３、及び、Ｈｉｇｈアラーム閾値：Ｂ１＿４とした場合の例を示している。
【００３３】
また、レベルモニタ部１３４は、第２波長送信ドライバ部１３２からの第２下り波長λｄ２の光信号の送信バイアス電流を計測し、計測された送信バイアス電流を実測値Ｂ２として、図８に示されている第２波長送信バイアス電流判定情報１７３を参照して、実測値Ｂ２に対応する第２波長の送信経路の状態を判定する。
【００３４】
図８に示されているように、第２波長送信バイアス電流判定情報１７３は、送信バイアス電流の複数の範囲の各々に、第２波長の送信経路の複数の状態の各々が対応付けられている。
例えば、図８は、第２下り波長λｄ２の送信バイアス電流に対する閾値として、Ｌｏｗアラーム閾値：Ｂ２＿１、Ｌｏｗワーニング閾値：Ｂ２＿２、Ｈｉｇｈワーニング閾値：Ｂ２＿３、及び、Ｈｉｇｈアラーム閾値：Ｂ２＿４とした場合の例を示している。
【００３５】
なお、以上に示されている第１波長送信レベル判定情報１７０、第２波長送信レベル判定情報１７１、第１波長送信バイアス電流判定情報１７２及び第２波長送信バイアス電流判定情報１７３は、例えば、レベルモニタ部１３４が有する不揮発性のメモリにより構成されている情報記憶部１３４ａに記憶されているものとする。
【００３６】
送信状態監視部１１２は、現用光モジュール１２０Ａ及び予備光モジュール１２０Ｂのレベルモニタ部１３４における判定結果を監視し、その判定結果を示す制御信号を経路切替制御部１１３に与える。
【００３７】
経路切替制御部１１３は、送信状態監視部１１２からの制御信号に基づいて、送信波長毎の送信レベル及び送信バイアス電流が全て正常状態の場合、ＯＬＴ１１０とＯＮＵ１５０との通信を、現用光モジュール１２０Ａを用いて行うため、現用光モジュール１２０Ａ及び予備光モジュール１２０Ｂに、図９の制御内容表１７４で示されている内容を示す制御信号を送信する。
【００３８】
ここで、図９に示されている制御内容表１７４は、現用光モジュール１２０Ａに、第１波長（第１下り波長λｄ１）及び第２波長（第２下り波長λｄ２）の光信号の送信を許可することを示しているとともに、予備光モジュール１２０Ｂに、これらの光信号の送信を許可しないことを示している。
【００３９】
送信制御回路１３５は、経路切替制御部１１３からの制御信号に基づき、送信波長毎の送信制御を行う。
例えば、図９の制御内容表１７４に示されている内容の制御信号を受け取った場合には、現用光モジュール１２０Ａの送信制御回路１３５は、第１波長送信ドライバ部１３１及び第２波長送信ドライバ部１３２の両方に対し送信を許可する。一方、予備光モジュール１２０Ｂの送信制御回路１３５は、第１波長送信ドライバ部１３１及び第２波長送信ドライバ部１３２の両方に対し送信を禁止する。
これにより、現用光モジュール１２０Ａの第１波長送信ドライバ部１３１及び第２波長送信ドライバ部１３２は、発光素子を発光させて、ＰＯＮ終端転送部１１１からのフレームを光信号に変換する。
一方、予備光モジュール１２０Ｂの第１波長送信ドライバ部１３１及び第２波長送信ドライバ部１３２は、発光素子の発光を停止して、ＰＯＮ終端転送部１１１からのフレームの光信号への変換を停止する。
その結果、ＯＬＴ１１０からの送信光は現用光モジュール１２０Ａのみから出力される。
【００４０】
次に、現用光モジュール１２０Ａのうち、一方の送信波長におけるモニタ結果が異常となった場合の動作について説明する。
ここでは、第１下り波長λｄ１の送信レベルがアラーム状態となった場合を例に説明する。
【００４１】
現用光モジュール１２０Ａのレベルモニタ部１３４が、第１下り波長λｄ１の送信レベルをアラーム状態と判定すると、送信状態監視部１１２は、その判定結果を示す制御信号を経路切替制御部１１３に送信する。
経路切替制御部１１３は、第１下り波長λｄ１の経路切替を行うため、図１０の制御内容表１７５に示されている内容の制御信号を現用光モジュール１２０Ａ及び予備光モジュール１２０Ｂに送信する。
【００４２】
ここで、図１０に示されている制御内容表１７５は、現用光モジュール１２０Ａに、第１波長の光信号の送信を許可せず、第２波長の光信号の送信を許可することを示しているとともに、予備光モジュール１２０Ｂに、第１波長の光信号の送信を許可し、第２波長の光信号の送信を許可しないことを示している。
【００４３】
このような制御信号を受けた、現用光モジュール１２０Ａの送信制御回路１３５は、第１波長送信ドライバ部１３１に対して送信を禁止し、第２波長送信ドライバ部１３２に対し送信を許可する。一方、予備光モジュール１２０Ｂの送信制御回路１３５は、第１波長送信ドライバ部１３１に対して送信を許可し、第２波長送信ドライバ部１３２に対し送信を禁止する。
その結果、ＯＬＴ１１０からの光信号は、第１下り波長λｄ１は予備光モジュール１２０Ｂから、第２下り波長λｄ２は現用光モジュール１２０Ａから出力される。すなわち、ＯＬＴ１１０は、冗長構成の両系を使用する。このため、異常が発生した現用光モジュール１２０Ａの交換ができないという問題が発生する。
【００４４】
この問題を解決するため、実施の形態１では、異常が発生していない波長についても経路切替を行うことを可能とする。一般に、経路切替には、障害検知を契機とした経路切替（自動切替）と、オペレータからの指示に基づく経路切替（手動切替）の２種類がある。自動切替では通信の瞬断が発生するが、手動切替では、無瞬断での切替が可能である。異常が発生していない波長の経路切替は、切替契機をＯＬＴ１１０内部で生成し、その後は手動切替と同じ処理を実行することで、無瞬断での切り替えを行う。
【００４５】
図１１は、ＯＬＴ１１０の処理を示すフローチャートである。
図１１では、異常が発生していない波長についての経路切替を含む処理フローが示されている。
また、ここでは、現用光モジュール１２０Ａで光信号を送信しているものとする。
【００４６】
まず、送信状態監視部１１２は、現用光モジュール１２０Ａ及び予備光モジュール１２０Ｂのレベルモニタ部１３４における判定結果を定期的に監視する（Ｓ１０）。
送信状態監視部１１２は、判定結果により、現用光モジュール１２０Ａにおける異常の有無を判別する（Ｓ１１）。そして、異常がある場合（Ｓ１１でＹｅｓ）には、処理はステップＳ１２に進み、異常がない場合（Ｓ１１でＮｏ）には、処理はステップＳ１０に戻る。
【００４７】
ステップＳ１２では、送信状態監視部１１２は、現用光モジュール１２０Ａの第１下り波長λｄ１のみに異常があるか否かを判断する。そして、現用光モジュール１２０Ａの第１下り波長λｄ１のみに異常がある場合（Ｓ１２でＹｅｓ）には、処理はステップＳ１３に進む。一方、異常が現用光モジュール１２０Ａの第１下り波長λｄ１のみではない場合、言い換えると、第２下り波長λｄ２に異常がある場合には、処理はステップＳ１７に進む。
【００４８】
ステップＳ１３では、送信状態監視部１１２は、判定結果を示す制御信号を経路切替制御部１１３に送信し、経路切替制御部１１３は、第１下り波長λｄ１の経路切替を行うための制御信号（図１０に示されている内容の制御信号）を、現用光モジュール１２０Ａ及び予備光モジュール１２０Ｂに送信する。これにより、現用光モジュール１２０Ａの第１波長送信ドライバ部１３１は、光信号の送信を停止し、予備光モジュール１２０Ｂの第１波長送信ドライバ部１３１は、光信号の送信を開始する。
【００４９】
次に、経路切替制御部１１３にて、自動切替フラグ設定状態を確認する（Ｓ１４）。この自動切替フラグは、異常が発生していない波長についての経路切替を実行するかどうかを示すフラグである。自動切替フラグは、図示しない保守端末又は監視制御端末等の端末からオペレータが設定するものである。例えば、自動切替フラグは、経路切替制御部１１３が有する不揮発性のメモリにより構成されているフラグ記憶部１１３ａに記憶されているものとする。
そして、自動切替フラグがＯＦＦ設定（経路切替しない）の場合には、異常が発生していない波長についての経路切替は実行せず、処理はステップＳ１０に戻る。一方、自動切替フラグがＯＮ設定（経路切替する）の場合には、処理はステップＳ１５に進む。
【００５０】
ステップＳ１５では、経路切替制御部１１３からＰＯＮ終端転送部１１１に対し、状態情報同期指示を与える。このような指示を受けたＰＯＮ終端転送部１１１は、情報同期処理を行う。具体的には、ＰＯＮ終端転送部１１１は、光モジュール１２０との接続ポートであるＰＯＮポート毎に、配下のＯＮＵ１５０の状態情報を管理しており、この状態情報を現用光モジュール１２０Ａ側のＰＯＮポートと、予備光モジュール１２０Ｂ側のＰＯＮポートとで一致させる。なお、状態情報は、ＯＮＵ１５０のリンク状態、ＯＮＵ１５０の電源状態、ＯＮＵ１５０が使用する送受信波長情報、又は、ＯＮＵ１５０が使用する送受信波長を特定できる情報（ＯＮＵ１５０の種別等）等である。
【００５１】
そして、経路切替制御部１１３は、第２下り波長λｄ２の経路切替を行うため、図１２の制御内容表１７６に示されている内容の制御信号を現用光モジュール１２０Ａ及び予備光モジュール１２０Ｂに送信する（Ｓ１６）。
【００５２】
ここで、図１２に示されている制御内容表１７６は、現用光モジュール１２０Ａに、第１波長及び第２波長の光信号の送信を許可しないことを示しているとともに、予備光モジュール１２０Ｂに、第１波長及び第２波長の光信号の送信を許可することを示している。これにより、現用光モジュール１２０Ａの第２波長送信ドライバ部１３２は、光信号の送信を停止し、予備光モジュール１２０Ｂの第２波長送信ドライバ部１３２は、光信号の送信を開始する。その結果、ＯＬＴ１１０からの送信光は、第１下り波長λｄ１及び第２下り波長λｄ２とも、予備光モジュール１２０Ｂから出力される。従って、ＯＬＴ１１０は、冗長構成の片系を使用するため、異常が発生した現用光モジュール１２０Ａの交換が可能となる。そして、処理はステップＳ１０に戻る。
【００５３】
一方、ステップＳ１７では、送信状態監視部１１２は、現用光モジュール１２０Ａの第２下り波長λｄ２のみに異常があるか否かを判断する。そして、現用光モジュール１２０Ａの第２下り波長λｄ２のみに異常がある場合（Ｓ１７でＹｅｓ）には、処理はステップＳ１８に進む。一方、異常が現用光モジュール１２０Ａの第１下り波長λｄ１及び第２下り波長λｄ２の両方に異常がある場合（Ｓ１７でＮｏ）には、処理はステップＳ２２に進む。
【００５４】
ステップＳ１８では、送信状態監視部１１２は、判定結果を示す制御信号を経路切替制御部１１３に送信し、経路切替制御部１１３は、第２下り波長λｄ２の経路切替を行うため、図１３の制御内容表１７７に示されている内容の制御信号を現用光モジュール１２０Ａ及び予備光モジュール１２０Ｂに送信する。
【００５５】
ここで、図１３に示されている制御内容表１７７は、現用光モジュール１２０Ａに、第１波長の光信号の送信を許可し、第２波長の光信号の送信を許可しないことを示しているとともに、予備光モジュール１２０Ｂに、第１波長の光信号の送信を許可せず、第２波長の光信号の送信を許可することを示している。これにより、現用光モジュール１２０Ａの第２波長送信ドライバ部１３２は、光信号の送信を停止し、予備光モジュール１２０Ｂの第２波長送信ドライバ部１３２は、光信号の送信を開始する。
【００５６】
次に、経路切替制御部１１３にて、自動切替フラグ設定状態を確認する（Ｓ１９）。そして、自動切替フラグがＯＦＦ設定（経路切替しない）の場合には、異常が発生していない波長についての経路切替は実行せず、処理はステップＳ１０に戻る。一方、自動切替フラグがＯＮ設定（経路切替する）の場合には、処理はステップＳ２０に進む。
【００５７】
ステップＳ２０では、経路切替制御部１１３からＰＯＮ終端転送部１１１に対し、状態情報同期指示を与える。このような指示を受けたＰＯＮ終端転送部１１１は、情報同期処理を行う。
【００５８】
そして、経路切替制御部１１３は、第１下り波長λｄ１の経路切替を行うため、図１２の制御内容表１７６に示されている内容の制御信号を現用光モジュール１２０Ａ及び予備光モジュール１２０Ｂに送信する（Ｓ２１）。これにより、現用光モジュール１２０Ａの第１波長送信ドライバ部１３１は、光信号の送信を停止し、予備光モジュール１２０Ｂの第１波長送信ドライバ部１３１は、光信号の送信を開始する。その結果、ＯＬＴ１１０からの送信光は、第１下り波長λｄ１及び第２下り波長λｄ２とも、予備光モジュール１２０Ｂから出力される。従って、ＯＬＴ１１０は、冗長構成の片系を使用するため、異常が発生した現用光モジュール１２０Ａの交換が可能となる。そして、処理はステップＳ１０に戻る。
【００５９】
また、ステップＳ１７において、第１下り波長λｄ１と第２下り波長λｄ２との両方に異常があった場合（Ｓ１７でＮｏ）には、処理はステップＳ２２に進む。
ステップＳ２２では、経路切替制御部１１３は、第１下り波長λｄ１と第２下り波長λｄ２との両方の経路切替を行うための制御信号（図１２に示されている内容の制御信号）を、現用光モジュール１２０Ａ及び予備光モジュール１２０Ｂに送信する。これにより、現用光モジュール１２０Ａの第１波長送信ドライバ部１３１及び第２波長送信ドライバ部１３２は、光信号の送信を停止し、予備光モジュール１２０Ｂの第１波長送信ドライバ部１３１及び第２波長送信ドライバ部１３２は、光信号の送信を開始する。その結果、ＯＬＴ１１０からの送信光は、第１下り波長λｄ１及び第２下り波長λｄ２とも、予備光モジュール１２０Ｂから出力される。従って、ＯＬＴ１１０は、冗長構成の片系を使用するため、異常が発生した現用光モジュール１２０Ａの交換が可能となる。そして、処理はステップＳ１０に戻る。
【００６０】
以上に記載した実施の形態１は、２つの波長の場合を例に説明したが、３つ以上の波長を用いるＯＬＴでも、類似の処理で対応可能である。
【００６１】
また、実施の形態１において、送信状態監視部１１２が、現用光モジュール１２０Ａ及び予備光モジュール１２０Ｂのレベルモニタ部１３４における判定結果を定期的に監視する処理（図１１のステップＳ１０）では、監視する周期が固定されていてもよく、また、保守端末又は監視制御端末等からオペレータが周期を設定してもよい。
【００６２】
また、実施の形態１において、現用光モジュール１２０Ａ及び予備光モジュール１２０Ｂのレベルモニタ部１３４の判定結果は、送信状態監視部１１２が判定結果を監視していてもよく、また、レベルモニタ部１３４が異常と判定した場合に、送信状態監視部１１２へ通知（割り込み通知）するようにしてもよい。
【００６３】
また、実施の形態１において、レベルモニタ部１３４での判定結果のうち、アラーム状態のみを異常とするか、アラーム状態とワーニング状態の両方を異常とするかは、固定値とされていてもよく、また、保守端末又は監視制御端末等からオペレータが設定してもよい。
なお、異常状態を、アラーム状態とワーニング状態とから選択できるようにすることで、例えば、ワーニング状態の閾値を、アラーム状態に近づいてはいるものの動作は可能な状態に設定している場合には、アラーム状態を異常状態とし、一方、ワーニング状態の閾値を、通信に障害が生ずる状態に設定している場合には、ワーニング状態及びアラーム状態を異常状態とする等、ワーニング状態の閾値を設定する思想に変化を付けることができる。
【００６４】
以上のように、ＯＬＴ１１０の制御により、ＯＬＴ１１０とＯＮＵ１５０との間に経路を切り替えるための別の装置を介在させずに、波長毎に経路を切り替えることができる。このため、経路冗長を有する光アクセスシステムを低コストで実現することができる。また、実施の形態１は、異常が発生していない波長に対する自律的な経路の切り替えが可能であるため、保守性の向上が期待できる。
【００６５】
実施の形態２．
実施の形態１では、経路冗長を必要とするＯＮＵ１５０のみをＯＬＴ１１０に接続する場合を示したが、実施の形態２では、経路冗長を必要としないＯＮＵも接続する場合について説明する。
【００６６】
図１４は、実施の形態２に係る光アクセスシステム２００の構成を概略的に示すブロック図である。
光アクセスシステム２００は、ＯＬＴ２１０と、ＯＮＵ２５０Ａ〜２５０Ｌとを備える。
ＯＬＴ２１０と、ＯＮＵ２５０Ａ〜２５０Ｌとは、光ファイバ１６０Ａ〜１６０Ｒ及び光カプラ１６１Ａ〜１６１Ｅを用いて、接続されている。
【００６７】
ここで、ＯＮＵ２５０Ａ〜２５０Ｄ及びＯＮＵ２５０Ｉ〜２５０Ｌは、経路の切り替えによる経路冗長を必要とせず、ＯＮＵ２５０Ｅ〜２５０Ｈは、経路の切り替えによる経路冗長を必要とする。ここで、経路の切り替えを必要とするＯＮＵ２５０Ｅ〜２５０Ｈを第１のＯＮＵ（第１の加入者側装置）ともいい、経路の切り替えを必要としないＯＮＵ２５０Ａ〜２５０Ｄ及びＯＮＵ２５０Ｉ〜２５０Ｌを第２のＯＮＵ（第２の加入者側装置）ともいう。
【００６８】
なお、ＯＮＵ２５０Ａ〜２５０Ｌの各々を特に区別する必要がない場合には、ＯＮＵ２５０という。
また、光ファイバ１６０Ａ〜１６０Ｒの各々を特に区別する必要がない場合には、光ファイバ１６０という。
さらに、光カプラ１６１Ａ〜１６１Ｅの各々を特に区別する必要がない場合には、光カプラ１６１という。
【００６９】
図１５は、実施の形態２におけるＯＬＴ２１０の構成を概略的に示すブロック図である。
ＯＬＴ２１０は、ＰＯＮ終端転送部２１１と、送信状態監視部１１２と、経路切替制御部２１３と、光モジュール１２０とを備える。
ここで、実施の形態２におけるＯＬＴ２１０における送信状態監視部１１２及び光モジュール１２０は、実施の形態１におけるＯＬＴ１１０と同様に構成されている。
【００７０】
ＰＯＮ終端転送部２１１は、ＯＮＵ２５０から受信する上りフレームの終端処理及びＯＬＴ２１０の上位装置への転送を行うとともに、ＯＬＴ２１０の上位装置から受信する下りフレームのスイッチング及び終端処理を行う。
【００７１】
実施の形態２におけるＰＯＮ終端転送部２１１は、制御対象選択部２１４Ａと、制御対象選択部２１４Ｂとを備える。
制御対象選択部２１４Ａは、光モジュール１２０Ａとの間でフレームのやり取りを行う第１の転送処理部である。
制御対象選択部２１４Ｂは、光モジュール１２０Ｂとの間でフレームのやり取りを行う第２の転送処理部である。
【００７２】
制御対象選択部２１４Ａは、経路切替制御部２１３からの制御信号に基づいて、光モジュール１２０Ａを介して通信を行うＯＮＵ２５０を選択し、選択されたＯＮＵ２５０に対して、上りフレームの終端処理及びＯＬＴ２１０の上位装置への転送を行うとともに、ＯＬＴ２１０の上位装置から受信する下りフレームのスイッチング及び終端処理を行う。
また、制御対象選択部２１４Ａは、経路切替制御部２１３が、経路の切り替えを必要とするＯＮＵ２５０Ｅ〜２５０Ｈとの通信を、光モジュール１２０Ａから光モジュール１２０Ｂに切り替えた場合には、経路の切り替えを必要とするＯＮＵ２５０Ｅ〜２５０Ｈとの切り替えられた波長の通信における、ＯＮＵ２５０Ｅ〜２５０Ｈの何れかを送信元とするフレーム、及び、ＯＮＵ２５０Ｅ〜２５０Ｈの何れかを宛先とするフレームを廃棄する。
【００７３】
制御対象選択部２１４Ｂは、経路切替制御部２１３からの制御信号に基づいて、光モジュール１２０Ｂを介して通信を行うＯＮＵ２５０を選択し、選択されたＯＮＵ２５０に対して、上りフレームの終端処理及びＯＬＴ２１０の上位装置への転送を行うとともに、ＯＬＴ２１０の上位装置から受信する下りフレームのスイッチング及び終端処理を行う。
例えば、制御対象選択部２１４Ｂは、経路切替制御部２１３が、経路の切り替えを必要とするＯＮＵ２５０Ｅ〜２５０Ｈとの通信を、光モジュール１２０Ａから光モジュール１２０Ｂに切り替えた場合には、ＯＮＵ２５０Ｅ〜２５０Ｈとの切り替えられた波長の通信における、ＯＮＵ２５０Ｅ〜２５０Ｈの何れかを送信元とするフレームを上位装置に転送するとともに、ＯＮＵ２５０Ｅ〜２５０Ｈの何れかを宛先とするフレームを光モジュール１２０Ｂに送る。
【００７４】
なお、上りフレームの終端処理及び転送処理、並びに、ＯＬＴ２１０の上位装置から受信する下りフレームのスイッチング及び終端処理については、実施の形態１と同様である。
また、制御対象選択部２１４Ａ及び制御対象選択部２１４Ｂの各々を特に区別する必要がない場合には、制御対象選択部２１４という。
【００７５】
経路切替制御部２１３は、ＰＯＮポート冗長制御を行う。例えば、経路切替制御部２１３は、送信状態監視部１１２から受け取った制御信号で示される判定結果から、波長毎に光信号を送信する許可又は不許可を示す制御信号を光モジュール１２０及び制御対象選択部２１４に送信することで、ＰＯＮポート冗長制御を行う。具体的には、経路切替制御部２１３は、光モジュール１２０Ａが通信している際に、送信状態監視部１１２が複数の波長の内の１の波長において、光モジュール１２０Ａの送信経路の状態が異常状態であることを検出した場合に、経路の切り替えを必要とするＯＮＵ２５０との１の波長を用いた通信を、光モジュール１２０Ａから光モジュール１２０Ｂに切り替える。
さらに、経路切替制御部２１３は、１の波長を用いた通信を光モジュール１２０Ａから光モジュール１２０Ｂに切り替えた場合には、経路の切り替えを必要とするＯＮＵ２５０との１の波長以外の複数の波長を用いた通信も光モジュール１２０Ａから光モジュール１２０Ｂに切り替える。
【００７６】
次に、ＯＬＴ２１０動作について説明する。
ここで、経路冗長を必要としないＯＮＵ２５０Ａ及びＯＮＵ２５０Ｂは、上り波長として第１上り波長λｕ１を用い、下り波長として第１下り波長λｄ１を用いる。ＯＮＵ２５０Ａ及びＯＮＵ２５０Ｂは、現用光モジュール１２０Ａに接続されているものとする。
経路冗長を必要としないＯＮＵ２５０Ｃ及びＯＮＵ２５０Ｄは、上り波長として第２上り波長λｕ２を用い、下り波長として第２下り波長λｄ２を用いる。ＯＮＵ２５０Ｃ及びＯＮＵ２５０Ｄは、現用光モジュール１２０Ａに接続されているものとする。
経路冗長を必要とするＯＮＵ２５０Ｅ及びＯＮＵ２５０Ｆは、上り波長として第１上り波長λｕ１を用い、下り波長として第１下り波長λｄ１を用いる。
経路冗長を必要とするＯＮＵ２５０Ｇ及びＯＮＵ２５０Ｈは、上り波長として第２上り波長λｕ２を用い、下り波長として第２下り波長λｄ２を用いる。
経路冗長を必要としないＯＮＵ２５０Ｉ及びＯＮＵ２５０Ｊは、上り波長として第１上り波長λｕ１を用い、下り波長として第１下り波長λｄ１を用いる。ＯＮＵ２５０Ｉ及びＯＮＵ２５０Ｊは、予備光モジュール１２０Ｂに接続されているものとする。
経路冗長を必要としないＯＮＵ２５０Ｋ及びＯＮＵ２５０Ｌは、上り波長として第２上り波長λｕ２を用い、下り波長として第２下り波長λｄ２を用いる。ＯＮＵ２５０Ｋ及びＯＮＵ２５０Ｌは、予備光モジュール１２０Ｂに接続されているものとする。
【００７７】
ＯＬＴ２１０の上位装置からフレームを受信すると、ＰＯＮ終端転送部２１１の制御対象選択部２１４は、ＭＡＣアドレス学習テーブルを検索することにより、上位装置からのフレームの宛先となるＯＮＵ２５０を特定する。そして、特定されたＯＮＵ２５０が制御対象として選択されているＯＮＵ２５０である場合には、制御対象選択部２１４は、フレームの暗号化処理を行い、処理されたフレームを現用光モジュール１２０Ａ及び予備光モジュール１２０Ｂに転送する。一方、特定されたＯＮＵ２５０が制御対象として選択されていないＯＮＵ２５０である場合には、制御対象選択部２１４は、そのフレームを廃棄する。
【００７８】
現用光モジュール１２０Ａ及び予備光モジュール１２０Ｂの第１波長送信ドライバ部１３１は、ＰＯＮ終端転送部２１１から受け取ったフレームを第１下り波長λｄ１の光信号に変換して、光合波部１３３に与える。
また、現用光モジュール１２０Ａ及び予備光モジュール１２０Ｂの第２波長送信ドライバ部１３２は、ＰＯＮ終端転送部１１１から受け取ったフレームを第２下り波長λｄ２の光信号に変換して、光合波部１３３に与える。
そして、光合波部１３３は、第１波長送信ドライバ部１３１からの光信号と、第２波長送信ドライバ部１３２からの光信号とを合波して、ＯＮＵ２５０に送信する。
【００７９】
このとき、現用光モジュール１２０Ａ及び予備光モジュール１２０Ｂのレベルモニタ部１３４は、第１波長送信ドライバ部１３１からの第１下り波長λｄ１の光信号の送信レベル及び送信バイアス電流と、第２波長送信ドライバ部１３２からの第２下り波長λｄ２の光信号の送信レベル及び送信バイアス電流とをモニタする。
【００８０】
ＯＬＴ２１０の現用光モジュール１２０Ａ及び予備光モジュール１２０Ｂにおける送信波長毎の送信レベル及び送信バイアス電流が全て正常状態の場合、経路冗長を必要とするＯＮＵ２５０Ｅ〜ＯＮＵ２５０Ｈに対する通信は、現用光モジュール１２０Ａを用いて、経路冗長を必要としないＯＮＵ２５０Ａ〜ＯＮＵ２５０Ｄに対する通信は、現用光モジュール１２０Ａを用いて、経路冗長を必要としないＯＮＵ２５０Ｉ〜ＯＮＵ２５０Ｌに対する通信は、予備光モジュール１２０Ｂを用いてそれぞれ行われるため、経路切替制御部２１３は、図１６の制御内容表２７８に示されている内容の制御信号を現用光モジュール１２０Ａ及び予備光モジュール１２０Ｂに送信する。
また、経路切替制御部２１３は、制御対象選択部２１４Ａ及び制御対象選択部２１４Ｂに対しても、図１６の制御内容表２７８に示されている内容の制御信号を送信する。
【００８１】
ここで、図１６に示されている制御内容表２７８は、現用光モジュール１２０Ａに、第１波長及び第２波長の光信号の送信を許可することを示しているとともに、予備光モジュール１２０Ｂにも、第１波長及び第２波長の光信号の送信を許可することを示している。
【００８２】
制御対象選択部２１４Ａ及び制御対象選択部２１４Ｂは、図１７に示されている制御対象判定基準情報２７９に従い、制御対象とするＯＮＵ２５０を選択する。
制御対象判定基準情報２７９は、経路切替制御部２１３からの制御信号の内容に対応して、制御対象選択部２１４が制御対象として選択するＯＮＵ２５０を示している。
なお、図１７では、行ＩＬに記載されている「２５０Ａ」〜「２５０Ｌ」の符号は、図１４に示されているＯＮＵ２５０Ａ〜２５０Ｌの符号に対応している。
また、図１７では、列ＩＲに記載されている「２１４Ａ」及び「２１４Ｂ」の符号は、図１５に示されている制御対象選択部２１４Ａ及び制御対象選択部２１４Ｂの符号に対応している。
そして、図１７において、「２５０Ａ」〜「２５０Ｌ」で示されているＯＮＵ２５０の列における「○」は、同じ行の列ＩＲに記載されている「２１４Ａ」又は「２１４Ｂ」の符号で示される制御対象選択部２１４により制御対象として選択されることを示し、その「×」は、同じ行の列ＩＲに記載されている「２１４Ａ」又は「２１４Ｂ」の符号で示される制御対象選択部２１４により制御対象として選択されないことを示している。
【００８３】
具体的には、現用光モジュール１２０Ａに接続される制御対象選択部２１４Ａは、経路切替制御部２１３からの制御信号により、制御対象判定基準情報２７９の行Ｌ１及び行Ｌ２に基づいて、ＯＮＵ１５０Ａ〜ＯＮＵ２５０Ｄ及びＯＮＵ２５０Ｅ〜ＯＮＵ２５０Ｈを制御対象として選択する。また、予備光モジュール１２０Ｂに接続される制御対象選択部２１４Ｂは、経路切替制御部１１３からの制御信号により、制御対象判定基準情報２７９の行Ｌ３及び行Ｌ４に基づいて、ＯＮＵ２５０Ｉ〜ＯＮＵ２５０Ｌを制御対象として選択する。
【００８４】
制御対象選択部２１４は、制御対象として選択したＯＮＵ２５０からのフレーム及び制御対象として選択されたＯＮＵ２５０へのフレームは処理するが、その他のＯＮＵ２５０からのフレーム及びその他のＯＮＵ２５０へのフレームは廃棄する。これにより、同一ＯＮＵ２５０の二重リンクアップ、又は、同一ＯＮＵ２５０からのフレーム二重転送を回避する。
なお、制御対象選択部２１４は、上り方向において、フレームの発信元ＯＮＵ２５０を、フレームプリアンブル部に含まれる論理リンク識別子（ＬＬＩＤ：Ｌｏｇｉｃａｌ  Ｌｉｎｋ  Ｉｄｅｎｔｉｆｉｅｒ）、又は、ＬＬＩＤにマッピングされる情報を元に識別する。識別の結果、フレームの発信元ＯＮＵ２５０が制御対象として選択されている場合には、制御対象選択部２１４は、フレームを転送し、制御対象として選択されていない場合には、制御対象選択部２１４は、フレームを廃棄する。
一方、下り方向において、制御対象選択部２１４は、フレームの宛先となるＯＮＵ２５０を、上り方向と同様にＬＬＬＩＤ又はＬＬＩＤにマッピングされる情報を元に識別する。識別の結果、フレームの宛先となるＯＮＵ２５０が制御対象として選択されている場合には、制御対象選択部２１４は、フレームを転送し、フレームの宛先となるＯＮＵ２５０が制御対象として選択されていない場合には、制御対象選択部２１４は、フレームを廃棄する。
【００８５】
次に、現用光モジュール１２０Ａのうち、一方の送信波長における判定結果が異常となった場合の動作について説明する。
ここでは、第１下り波長λｄ１の送信レベルがアラーム状態となった場合を例に説明する。
【００８６】
現用光モジュール１２０Ａのレベルモニタ部１３４が、第１下り波長λｄ１の送信レベルがアラーム状態であると判定すると、送信状態監視部１１２は、その判定結果を示す制御信号を経路切替制御部２１３に送信する。
経路切替制御部２１３は、第１下り波長λｄ１の経路切替を行うため、図１８の制御内容表２８０に示されている内容の制御信号を現用光モジュール１２０Ａ及び予備光モジュール１２０Ｂに送信する。
また、経路切替制御部２１３は、制御対象選択部２１４Ａ及び制御対象選択部２１４Ｂに対しても、図１８の制御内容表２８０に示されている内容の制御信号を送信する。
【００８７】
ここで、図１８に示されている制御内容表２７８は、現用光モジュール１２０Ａに、第１波長の光信号の送信を許可せず、第２波長の光信号の送信を許可し、予備光モジュール１２０Ｂに、第１波長及び第２波長の光信号の送信を許可することを示している。
【００８８】
制御対象選択部２１４Ａ及び制御対象選択部２１４Ｂは、図１７に示されている制御対象判定基準情報２７９に従い、制御対象とするＯＮＵ２５０を判定する。
具体的には、現用光モジュール１２０Ａに接続される制御対象選択部２１４Ａは、経路切替制御部２１３からの制御信号により、制御対象判定基準情報２７９の行Ｌ５及び行Ｌ６に基づいて、ＯＮＵ１５０Ａ〜ＯＮＵ２５０Ｄ、ＯＮＵ２５０Ｇ、及び、ＯＮＵ２５０Ｈを制御対象として選択する。また、予備光モジュール１２０Ｂに接続される制御対象選択部２１４Ｂは、経路切替制御部１１３からの制御信号により、制御対象判定基準情報２７９の行Ｌ３及び行Ｌ４に基づいて、ＯＮＵ２５０Ｅ、ＯＮＵ２５０Ｆ及びＯＮＵ２５０Ｉ〜ＯＮＵ２５０Ｌを制御対象として選択する。
なお、現用光モジュール１２０Ａに接続され、経路冗長を必要としないＯＮＵ２５０Ａ〜ＯＮＵ２５０Ｄのうち、異常が発生した第１下り波長λｄ１を用いて通信を行うＯＮＵ２５０Ａ及びＯＮＵ２５０Ｂは、下り信号を受信できないため、実際には制御不可となる。
【００８９】
ここで、実施の形態１と同様に、実施の形態２でも、異常が発生した現用光モジュール１２０Ａの交換ができないという問題が発生するため、実施の形態２においても、異常が発生していない波長についても経路切替を行うことを可能とする。
例えば、経路切替制御部２１３は、第２下り波長λｄ２の経路切替を行うため、図１９の制御内容表２８１に示されている内容の制御信号を現用光モジュール１２０Ａ及び予備光モジュール１２０Ｂに送信する。
また、経路切替制御部２１３は、制御対象選択部２１４Ａ及び制御対象選択部２１４Ｂに対しても、図１９の制御内容表２８１に示されている内容の制御信号を送信する。
【００９０】
ここで、図１９に示されている制御内容表２７８は、現用光モジュール１２０Ａに、第１波長及び第２波長の光信号の送信を許可しないことを示しているとともに、予備光モジュール１２０Ｂに、第１波長及び第２波長の光信号の送信を許可することを示している。
【００９１】
そして、現用光モジュール１２０Ａの送信制御回路１３５は、第１波長送信ドライバ部１３１に加え、第２波長送信ドライバ部１３２に対しても送信を禁止する。その結果、ＯＬＴ２１０からの送信光は、第１下り波長λｄ１、第２下り波長λｄ２とも、予備光モジュール１２０Ｂから出力される。すなわち、ＯＬＴ２１０は、冗長構成の片系を使用するため、異常が発生した現用光モジュール１２０Ａの交換が可能となる。
【００９２】
なお、制御対象選択部２１４Ａ及び制御対象選択部２１４Ｂは、図１７に示す制御対象判定基準情報２７９に従い、制御対象とするＯＮＵ２５０を選択する。
具体的には、現用光モジュール１２０Ａに接続される制御対象選択部２１４Ａは、経路切替制御部２１３からの制御信号により、制御対象判定基準情報２７９の行Ｌ９及び行Ｌ１０に基づいて、ＯＮＵ２５０Ａ〜ＯＮＵ２５０Ｄを制御対象として選択し、予備光モジュール１２０Ｂに接続される制御対象選択部２１４Ｂは、経路切替制御部２１３からの制御信号により、制御対象判定基準情報２７９の行Ｌ１１及び行Ｌ１２に基づいて、ＯＮＵ２５０Ｅ〜ＯＮＵ２５０Ｈ及びＯＮＵ２５０Ｉ〜ＯＮＵ２５０Ｌを制御対象と判定する。なお、現用光モジュール１２０Ａに接続される制御対象選択部２１４Ａの制御対象とされているＯＮＵ２５０Ａ〜ＯＮＵ２５０Ｄは、下り信号を受信できないため、実際には制御不可となる。
【００９３】
以上のように、実施の形態２によれば、実施の形態１と同様の効果が得られる他、ＯＬＴ２１０は、冗長を必要とするＯＮＵ２５０Ｅ〜ＯＮＵ２５０Ｈと、冗長を必要としないＯＮＵ２５０Ａ〜ＯＮＵ２５０Ｄ及びＯＮＵ２５０Ｉ〜ＯＮＵ２５０Ｌとの混在収容を可能としたので、コスト削減及び効率的な運用が期待できる。
【符号の説明】
【００９４】
１００，２００  光アクセスシステム、  １１０，２１０  ＯＬＴ、  １１１，２１１  ＰＯＮ終端転送部、  １１２  送信状態監視部、  １１３，２１３  経路切替制御部、  ２１４  制御対象選択部、  １２０  光モジュール、  １３０  送信部、  １３１  第１波長送信ドライバ部、  １３２  第２波長送信ドライバ部、  １３３  光合波部、  １３４  レベルモニタ部、  １３５  送信制御回路、  １４０  受信部、  １４１  光分波部、  １４２  第１波長受信レシーバ部、  １４３  第２波長受信レシーバ部、  １５０，２５０  ＯＮＵ、  １６０  光ファイバ、  １６１  光カプラ。
【図１】
2019029708.tif 000003
【図２】
2019029708.tif 000004
【図３】
2019029708.tif 000005
【図４】
2019029708.tif 000006
【図５】
2019029708.tif 000007
【図６】
2019029708.tif 000008
【図７】
2019029708.tif 000009
【図８】
2019029708.tif 000010
【図９】
2019029708.tif 000011
【図１０】
2019029708.tif 000012
【図１１】
2019029708.tif 000013
【図１２】
2019029708.tif 000014
【図１３】
2019029708.tif 000015
【図１４】
2019029708.tif 000016
【図１５】
2019029708.tif 000017
【図１６】
2019029708.tif 000018
【図１７】
2019029708.tif 000019
【図１８】
2019029708.tif 000020
【図１９】
2019029708.tif 000021